(57)【要約】【課題】  油溜まりの着脱時に的確な装着感を出す、また、不用意に外れてしまうことを防止して、安全性を向上させる。【解決手段】  ガイド部４１とガイド部から延設して設けられた係合段部４２とを有する油溜まり４０をスライド可能に支持する支持部３１と、突起の前後方向に出没自在の突起部３２とを備え、油溜まり４０をレンジフードに着脱する際、突起部３２と支持部３１は油溜まり４０を保持し、油溜まり４０のガイド部４１は突起部３２と当接しながら摺動し、突起部３２は、レンジフードへまたはレンジフードから油溜まり４０を着脱する過程において、係合段部４２を通過することを特徴とするレンジフード。【選択図】  図９
2014025628.tif 000002
【特許請求の範囲】
【請求項１】
フードの内部に送風機と、
該送風機より生ずる空気の流れの上流側にフィルタと、
該フィルタ及び前記フードで捕獲された油分を回収収容する油溜まりと、
該油溜まりをスライド可能に支持する支持部と、
突起の前後方向に出没自在の突起部と、
を備え、
前記油溜まりは、
ガイド部と、
該ガイド部から延設して設けられた係合段部と、
を有し、
前記油溜まりをレンジフードに着脱する際、前記突起部と前記支持部は前記油溜まりを保持し、前記油溜まりの前記ガイド部は前記突起部と当接しながら摺動し、
前記突起部は、レンジフードへまたはレンジフードから前記油溜まりを着脱する過程において、前記係合段部を通過することを特徴とするレンジフード。
【請求項２】
前記ガイド部は、前記油溜まりをレンジフードに装着するためにスライドさせる場合に、前記突起部を後退させるように第一傾斜面を有することを特徴とする請求項１に記載のレンジフード。
【請求項３】
前記ガイド部は、前記油溜まりをレンジフードに装着する場合に、前記油溜まりをスライドさせる方向と平行であって、前記突起部を前記第一傾斜面に導く第二傾斜面を有することを特徴とする請求項２に記載のレンジフード。
【請求項４】
前記突起部は、突出方向に付勢されることにより出没自在であることを特徴とする請求項１乃至３のいずれかに記載のレンジフード。
【発明の詳細な説明】
【技術分野】
【０００１】
本発明は、調理によって発生する油煙から油分を捕集するレンジフードに関する。
【背景技術】
【０００２】
台所などに設置されるレンジフードは、レンジフードの下方で行われる調理によって発生する湯気や油煙等を、ファンによって発生させた空気の流れとともに吸入し、吸入した空気と共にその油煙等を屋外などへと排出するものである。しかし、油煙に含まれる油分をそのまま屋外などへ排出することは、環境上好ましくない上、空気の流路におけるレンジフードの下流に通常存在するファンやダクトなどの設備に油分を付着させ、洗浄等のメンテナンスに多大の労力／費用を必要とし、設備の劣化を促進させることとなる。
【０００３】
従って、従来から、レンジフードは、フィルタなどにおいて油煙に含まれる油分を捕獲して回収するための工夫が数多くなされている。例えば、グリスフィルタにより捕獲した油やフード内面に付着した油を、フィルタの傾斜等を利用して油溜まりへと集める構造が数多く採用されている。この油溜まりは、レンジフードに着脱自在に取り付けられており、レンジフードの使用により油溜まりに溜まった油は、油溜まりを取り外して廃棄される。その後、油溜まりは、適宜洗浄された後、再びレンジフードに装着される。
【０００４】
例えば、特許文献１では、レンジフード側に設けた係合爪に対して、油溜まりの周囲のフランジ部を単に引っ掛けた構造を開示している。
【先行技術文献】
【特許文献】
【０００５】
【特許文献１】実公昭５５−１３７０５４号公報
【発明の概要】
【発明が解決しようとする課題】
【０００６】
しかし、かかる構造では、装着時の装着感（操作感）がなく、どの位置が正規の位置なのか分かりにくいものであった。また、単に引っ掛け構造を採用しているため、人の手などが不用意に触れてしまった場合には、意図せず外れてしまう可能性があった。
【０００７】
そこで、本発明は、上記問題に鑑みてなされたものであり、本発明の目的とするところは、油溜まりの着脱時に的確な装着感を出すことで、操作性を向上すると共に、高級感を演出する、さらには、安定した装着状態とすることができるので不用意に外れてしまうことを防止して、安全性を向上させたレンジフードを提供することである。
【課題を解決するための手段】
【０００８】
上記課題を解決するために、フードの内部に送風機と、送風機より生ずる空気の流れの上流側にフィルタと、フィルタ及びフードで捕獲された油分を回収収容する油溜まりと、油溜まりをスライド可能に支持する支持部と、突起の前後方向に出没自在の突起部とを備え、油溜まりは、ガイド部とガイド部から延設して設けられた係合段部とを有し、油溜まりをレンジフードに着脱する際、突起部と支持部は油溜まりを保持し、油溜まりのガイド部は突起部と当接しながら摺動し、突起部は、レンジフードへまたはレンジフードから油溜まりを着脱する過程において、係合段部を通過することを特徴とするレンジフードが提供される。
これによれば、油溜まりの着脱時に的確な装着感を出すことで、操作性を向上すると共に、高級感を演出する、さらには、安定した装着状態とすることができるので不用意に外れてしまうことを防止して、安全性を向上させたレンジフードを提供することができる。
【０００９】
さらに、ガイド部は、油溜まりをレンジフードに装着するためにスライドさせる場合に、突起部を後退させるように第一傾斜面を有することを特徴としてもよい。
これによれば、装着する際には小さい力でスムースに案内することができる。
【００１０】
さらに、ガイド部は、油溜まりをレンジフードに装着する場合に、油溜まりをスライドさせる方向と平行であって、突起部を第一傾斜面に導く第二傾斜面を有することを特徴としてもよい。
これによれば、装着する際に、ガイド部が突起部と当接しながら摺動する位置が多少ずれても正規の位置に案内することができる。
【００１１】
さらに、突起部は、突出方向に付勢されることにより出没自在であることを特徴としてもよい。
これによれば、突起部を付勢する弾性体の弾性係数により、容易に装着感を調整することができる。
【発明の効果】
【００１２】
以上説明したように、本発明によれば、油溜まりの着脱時に的確な装着感を出すことで、操作性を向上すると共に、高級感を演出する、さらには、安定した装着状態とすることができるので不用意に外れてしまうことを防止して、安全性を向上させたレンジフードを提供することができる。
【図面の簡単な説明】
【００１３】
【図１】本発明に係る第一実施例におけるレンジフードの六面図。（Ａ）正面図、（Ｂ）平面図、（Ｃ）底面図、（Ｄ）左側面図、（Ｅ）右側面図。
【図２】本発明に係る第一実施例におけるレンジフードを右下から見た斜視図。
【図３】本発明に係る第一実施例のレンジフードにおける油溜まりを整流板に装着する際の説明図。
【図４】本発明に係る第一実施例のレンジフードにおける油溜まりの六面図。（Ａ）正面図、（Ｂ）平面図、（Ｃ）底面図、（Ｄ）背面図、（Ｅ）左側面図、（Ｆ）右側面図。
【図５】本発明に係る第一実施例のレンジフードにおける油溜まりを右下から見た斜視図（Ａ）、右上から見た斜視図。
【図６】本発明に係る第一実施例の支持部と突起部の分解図（Ａ）、断面分解図（Ｂ）。
【図７】本発明に係る第一実施例の油溜まりにおけるガイド部を右上から見た拡大斜視図（Ａ）、左上から見た拡大斜視図。
【図８】本発明に係る第一実施例のレンジフードにおける油溜まりを整流板に装着する際の概念図。
【図９】本発明に係る第一実施例のレンジフードにおける油溜まりを整流板に装着する際の断面による説明図。（Ａ）油溜まりのスライド前、（Ｂ）突起部がガイド部を当接しながら摺動している時、（Ｃ）突起部が係合段部を通過する直前、（Ｄ）突起部が係合段部を通過し、油溜まりが整流板に装着された時。
【図１０】本発明に係る第二実施例のレンジフードにおける油溜まりを整流板に装着する際の説明図。
【図１１】本発明に係る第二実施例のレンジフードにおける油溜まりを右上から見た斜視図。
【図１２】本発明に係る第二実施例のレンジフードにおける油溜まりを整流板に装着する際の、突起部付近の断面による説明図。（Ａ）突起部がガイド部を当接し始めた時、（Ｂ）突起部が係合段部を通過する直前、（Ｃ）突起部が係合段部を通過し、油溜まりが整流板に装着された時。
【図１３】本発明に係る第二実施例のレンジフードにおける油溜まりを整流板に装着する際の、支持部付近の断面による説明図。（Ａ）油溜まりのスライド前、（Ｂ）被支持部が支持部を当接し始めた時、（Ｃ）突起部が係合段部を通過し、油溜まりが整流板に装着された時。
【発明を実施するための形態】
【００１４】
以下では、図面を参照しながら、本発明に係る各実施例について説明する。
＜第一実施例＞
図１は、本発明に係る第一実施例におけるレンジフード１の正六面図を、図２は、レンジフード１を右下から見た斜視図を示す。レンジフード１は、調理器の上方に設けられ、調理により発生する油煙や水蒸気などを含む空気を捕獲するための、薄型扁平のフード１０をレンジフード１の下部に備える。フード１０には、フード１０の内周縁と隙間を形成するようにして整流板３０が備えられる。フード１０の上部には、内部に空気の流れを発生させる送風機（図示せず）を備える送風機ボックス２０が設けられる。また、送風機ボックス２０とフード１０との連結部分辺りにフィルタ１２が備えられる。
【００１５】
フード１０により捕獲される空気は、送風機が発生させる下方から上方への空気の流れに乗って、フード１０と整流板３０との間の隙間から吸い込まれ、吸い込まれた空気は、整流板３０とフード内面１１との間の空間を通り、フィルタ１２の周りに形成されている煙道に導かれ、油煙などを除去するフィルタ１２を通過する。その後、送風機ボックス２０に設けられる排気口２１に接続される図示しない排気ダクトによって室外などへ放出される。なお、フードは薄型扁平な形状に限定されず、大きな捕獲空間を備え縦方向に厚みのあるフードであってもよい。
【００１６】
調理により発生した油煙などは、送風機が発生させた空気の流れに乗ってフード１０により捕獲され、フード内面１１やフィルタ１２などの煙道に付着する。それらに付着した油煙は、長期間使っていると、整流板３０の上面に垂れて落ちることがある。整流板３０の上面に垂れて落ちた油分は、整流板３０のわずかな背面方向への傾斜を利用して、後方へ集められ、整流板３０の下面に装着された油溜まり４０に回収される。
【００１７】
図３は、油溜まりを整流板に装着する場合を説明するための図である。整流板３０の背面側の近傍には、油抜き孔３６が複数個設けられており、整流板３０の上面に垂れて落ちた油分は、この油抜き孔３６を通して油溜まり４０に回収される。整流板３０は、油溜まり４０をスライド可能に支持する支持部３１を備える。一方、油溜まり４０は、支持部３１にスライド可能に支持されるガイド部（図示せず）を備える。油溜まり４０は、ガイド部を支持部３１に引っ掛けて、整流板３０の下面で、その下面に沿った方向（本図のＤの矢印で示す方向）にスライドさせて、整流板３０に装着される。詳細は、後述する。
【００１８】
図４は、本実施例における油溜まり４０の正六面図を、図５は斜視図を示す。油溜まり４０は、整流板３０の支持部３１に対応する位置に、即ち、本実施例では油溜まり４０の左右両端であって背面側近傍にガイド部４１を備える。ガイド部４１は、背面側方向であって底面側方向に下傾斜して形成される傾斜面、および、油溜まり４０の中央側であって底面側方向に下傾斜して形成される傾斜面を備える。詳細は、後述する。
【００１９】
また、油溜まり４０は、ガイド部４１の正面側に係合段部４２を備える。係合段部４２は、底面方向に落ち込む斜面から形成されている。この係合段部４２よりさらに正面側は、底面と平行な小さな面が形成され、その小さな面よりさらに正面側は、底面とは反対方向に立ち上がる斜面が形成されている。従って、係合段部４２から正面側は、スライド方向の縦断面視では、凹部を形成している。油分プール４３は、整流板３０の油抜き孔３６に対応して設けられ、油抜き孔３６から垂下する油分を受け止めて、回収収容する。
【００２０】
図６は、レンジフード１の整流板３０が有する支持部３１と突起部３２を説明するための分解図である。突起部３２は、弾性体３３と共に、突起部ホルダー３４の中に納められ、突起部ホルダーキャップ３５により上から押さえつけられるので、弾性体３３により下方向、即ち、突起部ホルダー３４の下端に備えられた支持部３１の方へ付勢される。突起部３２は、支持部３１に当接はしておらず、後述するように、油溜まり４０のガイド部４１が間に入る程度の、支持部３１との間に隙間が存在する。従って、突起部３２は、突起部３２が突出する方向に付勢されており、付勢されていることによりその方向に出没自在である。これによれば、突起部を付勢する弾性体の弾性係数により、容易に装着感を調整することができる。
【００２１】
突起部ホルダー３４と突起部ホルダーキャップ３５とは、整流板３０の突起部ホルダー通孔３７を介して、突起部ホルダー３４は整流板３０の下側から、突起部ホルダーキャップ３５は整流板３０の上側から取り付けられる。そうすると、整流板３０の下側に支持部３１が現れ、ガイド部４１が入り込む程度の隙間を空けて、突起部３２も整流板３０の下側に現れる。なお、本実施例では、突起部３２は整流板３０に備えられるが、これに限定されず、整流板を有さないレンジフードの場合はフード内面に設けられてもよい。
【００２２】
図７は、本発明に係る第一実施例における油溜まり４０のガイド部４１付近の拡大斜視図である。油溜まり４０は、左右両端にガイド部４１と、ガイド部４１から正面側に延設して設けられた係合段部４２とを有する。より具体的には、ガイド部４１は、油溜まり４０の整流板３０とのスライド方向Ｄと平行な面をなす小さな係合片を、整流板３０の支持部３１と対応する位置であって背面側の端部に有する。この係合片は、整流板３０に油溜まり４０をスライドさせて装着する際最初に、整流板３０の支持部３１に引っ掛かり支持される部分となる。
【００２３】
この係合片の正面側には整流板３０の方へ（上方へ）向かって傾斜する比較的緩やかな第一傾斜面４１１が延設される。そして、この第一傾斜面４１１の正面側には、係合片と平行即ち整流板３０とのスライド方向Ｄと平行な面がさらに延設される。さらにその正面側には、底面方向に落ち込む斜面として形成される係合段部４２を備える。また、係合段部４２からさらに正面側（スライド方向Ｄと反対方向）には下方に向かって係合片を折り曲げた形状のストッパ部を備える。
【００２４】
ガイド部４１は、さらに、油溜まり４０をレンジフード１に装着する場合に、油溜まり４０をスライドさせる方向と平行であって、突起部３２を第一傾斜面４１１に導く第二傾斜面４１２を有する。より具体的には、ガイド部４１は、油溜まり４０の左右両端部から中央側への傾斜面であって底面側方向に下傾斜して形成される第二傾斜面４１２を備える。これによれば、ユーザが油溜まり４０を整流板３０に装着しようとする際に、ガイド部４１が正面視左右方向に多少位置ずれしても、即ち、後述する突起部と当接しながら摺動する位置が多少ずれても、正規の位置に案内することができる。
【００２５】
ここで、ガイド部４１と突起部３２との摺動について、図８を用いて説明する。図８（Ａ）は、第一傾斜面４１１を備えないガイド部４１’のスライド方向Ｄにおける縦断面図を示す。即ち、ガイド部４１’は、整流板３０とのスライド方向Ｄと平行な面をガイド部として備える。ユーザが油溜まり４０を装着しようとする際、ガイド部４１’の先端は突起部３２の下部に衝突するが、突起部３２は突出する方向に出没自在なので、ガイド部４１’により上方に持ち上げられる。突起部３２は、バネにより下方向に付勢されているので、上方に持ち上げられた後、ガイド部４１’の上面に当接する。その状態で、油溜まり４０は、完全に装着するためにスライド方向Ｄの方向へ移動するので、油溜まり４０をレンジフード１に着脱する際、油溜まり４０のガイド部４１は突起部３２と当接しながら摺動する。
【００２６】
油溜まり４０を完全に装着するためにスライド方向Ｄの方向へさらに移動させると、突起部３２は、係合段部４２に摺動しながら到達する。突起部３２が係合段部４２に到達すると、突起部３２は下方向に付勢されているので、急峻な傾斜面の係合段部４２に沿って突然下方向に突出する。係合段部４２が突然突出することにより、油溜まり４０の装着時に装着感を出すことができ、操作性を向上すると共に、高級感を演出することができる。
【００２７】
突起部３２は、突然突出することで、係合段部４２を通過し、係合段部４２の下に位置する凹部に到達する。突起部３２は、凹部に当接してもよいし、当接しなくともよい。いずれであっても、油溜まり４０の装着時に装着感を出すことができるからである。しかし、突起部３２は、凹部に当接することが好ましい。突起部３２と支持部３１により確実に油溜まり４０を保持できるからである。
【００２８】
また、油溜まり４０を整流板３０から外す時は、装着するためにスライドさせる方向Ｄとは逆の方向に油溜まり４０を動かす。そうすると、突起部３２が急峻な傾斜面の係合段部４２に沿って上に持ちあがるためには、ユーザは最初だけ比較的大きな力で動かす必要がある。これにより、不用意に油溜まり４０が外れてしまうことを防止して、安全性を向上させる。
【００２９】
図８（Ｂ）は、第一傾斜面４１１を備えるガイド部４１のスライド方向Ｄにおける縦断面図を示す。ユーザが油溜まり４０を装着しようとする際、ガイド部４１の先端は突起部３２に衝突することがない。従って、突起部３２は、最初に傾斜が緩やかな第一傾斜面４１１に当接し、突出方向に出没自在なので、第一傾斜面４１１により徐々に上方に持ち上げられる。即ち、油溜まり４０をレンジフード１に装着するためにスライドさせる場合に、第一傾斜面４１１は、徐々に突起部３２を後退させる。これによれば、装着する際には小さい力でスムースに案内することができる。油溜まり４０は、完全に装着するためにスライド方向Ｄの方向へ移動するので、油溜まり４０をレンジフード１に着脱する際、ガイド部４１は突起部３２と当接しながら摺動する。
【００３０】
油溜まり４０を完全に装着するためにスライド方向Ｄの方向へさらに移動させると、突起部３２は、係合段部４２に摺動しながら到達する。突起部３２が係合段部４２に到達すると、突起部３２は下方向に付勢されているので、急峻な傾斜面の係合段部４２に沿って突然下方向に突出する。係合段部４２が突然突出することにより、油溜まり４０の装着時に装着感を出すことができ、操作性を向上すると共に、高級感を演出することができる。
【００３１】
また、油溜まり４０を整流板３０から外す時は、装着するためにスライドさせる方向Ｄとは逆の方向に油溜まり４０を動かす。そうすると、突起部３２が急峻な傾斜面の係合段部４２に沿って上に持ちあがるためには、ユーザは最初だけ比較的大きな力で動かす必要があるので、不用意に油溜まり４０が外れてしまうことを防止して、安全性を向上させると共に、第一傾斜面４１１に当接する部分では徐々に突起部３２からの押さえつける力が弱くなるので、スムースに外すことができる。
【００３２】
図９は、本実施例のレンジフード１における油溜まり４０を整流板３０に装着する際の断面による説明図であり、（Ａ）は油溜まりのスライド前、（Ｂ）は突起部３２がガイド部４１を当接しながら摺動している時、（Ｃ）は突起部３２が係合段部４２を通過する直前、（Ｄ）は突起部３２が係合段部４２を通過し、油溜まり４０が整流板３０に装着された時を示す。
【００３３】
（Ａ）は、ユーザが油溜まり４０を整流板３０の下面に押し当てて、装着させるためにスライド方向Ｄへスライドさせようとしている時の図である。突起部３２は、弾性体３３により下方へ押し下げられているが、支持部３１とは、ガイド部の先端が挿入できる程度の隙間を有している。油溜まり４０のガイド部４１の先端は、スライド方向Ｄへ移動すればその隙間に挿入できる位置にある。
【００３４】
（Ｂ）は、油溜まり４０を装着するためにスライドする方向Ｄへ移動させ、突起部３２が第一傾斜面４１１に当接し、摺動している時を示す。第一傾斜面４１１は、徐々に突起部３２を後退させる。これによれば、装着する際には当初小さい力でスムースに案内することができる。
【００３５】
（Ｃ）は、突起部３２は第一傾斜面４１１を通り過ぎ、係合段部４２に到達する前の状態を示す。突起部３２は後退しないので、油溜まり４０をスライドさせる際の抗力は一定となる。
【００３６】
（Ｄ）は、突起部３２が係合段部４２を通過した後の状態を示し、即ち、油溜まり４０が整流板３０に装着された状態を示す。突起部３２は、係合段部４２を通過する時、係合段部４２の急峻な斜面により突然下方向に突出する。そうすることにより、油溜まり４０の装着時にカチッとした音や感触などの装着感を出すことができ、操作性を向上すると共に、高級感を演出することができる。また、この時、ストッパ部は支持部３１と衝突することで、油溜まり４０のスライドを正しい位置で停止させることができる。
【００３７】
また、油溜まり４０を整流板３０から外す時は、上記の逆の（Ｄ）→（Ｃ）→（Ｂ）→（Ａ）の順で同様な状態の遷移が起こる。そうすると、突起部３２が急峻な傾斜面の係合段部４２に沿って上に持ちあがるためには、ユーザは最初だけ比較的大きな力で動かす必要があるので、不用意に油溜まり４０が外れてしまうことを防止して、安全性を向上させると共に、第一傾斜面４１１に当接する部分では徐々に突起部３２からの押さえつける力が弱くなるので、スムースに外すことができる。
【００３８】
上述したレンジフード１は、フード１０の内部に送風機と、送風機より生ずる空気の流れの上流側にフィルタ１２と、フィルタ１２及びフード１０で捕獲された油分を回収収容する油溜まり４０と、油溜まり４０をスライド可能に支持する支持部３１と、突起の前後方向に出没自在の突起部３２とを備え、油溜まり４０は、ガイド部４１と、ガイド部４１から延設して設けられた係合段部４２とを有し、油溜まり４０をレンジフード１に着脱する際、突起部３２と支持部３１は油溜まり４０を保持し、油溜まり４０のガイド部４１は突起部３２と当接しながら摺動し、突起部３２は、レンジフード１へまたはレンジフード１から油溜まり４０を着脱する過程において、係合段部４２を通過することを特徴とするものである。これによれば、油溜まり４０の着脱時に的確な装着感を出すことで、操作性を向上すると共に、高級感を演出する、さらには、安定した装着状態とすることができるので不用意に外れてしまうことを防止して、安全性を向上させたレンジフードを提供することができる。
【００３９】
＜第二実施例＞
本実施例の記載は、重複記載を避けるために、第一実施例と異なる点のみ記載する。
図１０は、油溜まりを整流板に装着する場合を説明するための図である。整流板３０Ａの背面側の近傍には、油抜き孔３６Ａが複数個設けられており、整流板３０Ａの上面に垂れて落ちた油分は、この油抜き孔３６Ａを通して油溜まり４０Ａに回収される。整流板３０Ａは、油溜まり４０Ａをスライド可能に支持する支持部３１Ａを備える。一方、油溜まり４０Ａは、支持部３１Ａにスライド可能に支持される被支持部（図示せず）を備える。油溜まり４０Ａは、被支持部を支持部３１Ａに引っ掛けて、整流板３０Ａの下面で、その下面に沿った方向（本図のＤの矢印で示す方向）にスライドさせて、整流板３０Ａに装着される。
【００４０】
図１１は、本実施例における油溜まり４０Ａの斜視図を示す。油溜まり４０Ａは、整流板３０Ａの支持部３１Ａに対応する位置に、即ち、本実施例では油溜まり４０Ａの左右両端と中央部との中間位置であって背面側近傍に被支持部４４Ａを備える。被支持部４４Ａは、整流板３０Ａの下面に平行であり、支持部３１Ａに引っかかる十分な幅（スライド方向Ｄと直角をなす方向の長さ）と、突起部３２Ａが係合段部４２Ａを通過する十分な長さ（スライド方向Ｄの長さ）を有する。また、係合段部４２Ａの正面側（スライド方向Ｄと反対方向）には下方に向かって係合片を折り曲げた形状のストッパ部を備える。
【００４１】
また、油溜まり４０Ａは、油溜まり４０Ａの正面視中央部であって背面側近傍にガイド部４１Ａを備える。ガイド部４１Ａは、背面側方向であって底面側方向に下傾斜して形成される傾斜面を備える。また、油溜まり４０Ａは、ガイド部４１Ａの正面側に係合段部４２Ａを備える。係合段部４２Ａは、底面方向に落ち込む斜面から形成されている。この係合段部４２Ａよりさらに正面側は、底面と平行な小さな面が形成される。油分プール４３Ａは、整流板３０Ａの油抜き孔３６Ａに対応して設けられ、油抜き孔３６Ａから垂下する油分を受け止めて、回収収容する。
【００４２】
図１２は、本実施例のレンジフードにおける油溜まりを整流板に装着する際の、突起部付近の断面による説明図であり、（Ａ）は突起部がガイド部を当接し始めた時、（Ｂ）は突起部が係合段部を通過する直前、（Ｃ）は突起部が係合段部を通過し、油溜まりが整流板に装着された時を示す。なお、第一実施例と同様に突起部３２Ａは裏側から図示しない弾性体により下方に付勢されている。
【００４３】
（Ａ）は、ユーザが油溜まり４０Ａを整流板３０Ａの下面に押し当てて、装着させるためにスライド方向Ｄへスライドさせ始めた時の図である。突起部３２Ａは、整流板３０Ａの下面から、第一傾斜部４１１Ａの背面側端部と整流板３０Ａの下面との距離とほぼ同じ長さ分突出している。したがって、第一傾斜部４１１Ａは、スライド方向Ｄにスライドされるに伴い、突起部３２Ａの側面に衝突なく当接する。なお、本実施例のレンジフードは、第二傾斜面を有さない。
【００４４】
（Ｂ）は、油溜まり４０Ａを装着するためにスライドする方向Ｄへ移動させ、突起部３２Ａが第一傾斜面４１１Ａに当接し、摺動している時を示す。突起部３２Ａは突起方向に出没自在に設けられるので、第一傾斜面４１１Ａは、徐々に突起部３２Ａを後退させる。これによれば、装着する際には当初小さい力でスムースに案内することができる。
【００４５】
（Ｃ）は、突起部３２Ａが係合段部４２Ａを通過した後の状態を示し、即ち、油溜まり４０Ａが整流板３０Ａに装着された状態を示す。突起部３２Ａは突起方向に下方向に付勢されているので、突起部３２Ａは、係合段部４２Ａを通過する時、係合段部４２Ａの急峻な斜面により突然下方向に突出する。そうすることにより、油溜まり４０Ａの装着時にカチッとした音や感触などの装着感を出すことができ、操作性を向上すると共に、高級感を演出することができる。
【００４６】
また、油溜まり４０Ａを整流板３０Ａから外す時は、上記の逆の（Ｃ）→（Ｂ）→（Ａ）の順で同様な状態の遷移が起こる。そうすると、突起部３２Ａが急峻な傾斜面の係合段部４２Ａに沿って上に持ちあがるためには、ユーザは最初だけ比較的大きな力で動かす必要があるので、不用意に油溜まり４０Ａが外れてしまうことを防止して、安全性を向上させると共に、第一傾斜面４１１Ａに当接する部分では徐々に突起部３２Ａからの押さえつける力が弱くなるので、スムースに外すことができる。
【００４７】
図１３は、本実施例のレンジフードにおける油溜まりを整流板に装着する際の、支持部付近の断面による説明図であり、（Ａ）は油溜まりのスライド前、（Ｂ）は被支持部が支持部を当接し始めた時、（Ｃ）は突起部が係合段部を通過し、油溜まりが整流板に装着された時を示す。
【００４８】
（Ａ）は、ユーザが油溜まり４０Ａを整流板３０Ａの下面に押し当てて、装着させるためにスライド方向Ｄへスライドさせようとしている時の図である。支持部３１Ａと整流板３０Ａの下面との間には、被支持部４４Ａの厚みよりわずかに大きい隙間が空いている。被支持部４４Ａは、整流板３０Ａの下面に当接しつつ、スライド方向Ｄへスライドされるとその隙間に入り込む。
【００４９】
（Ｂ）は、油溜まり４０Ａを装着するためにスライドする方向Ｄへ移動させ、被支持部４４Ａが支持部３１Ａと整流板３０Ａの下面との間の隙間に入り込む時を示す。被支持部４４Ａは、整流板３０Ａの下面に平行なので、装着する際には小さい力でスムースに案内することができる。なお、（Ｂ）の状態は、突起部３２Ａと第一傾斜面４１１Ａとの関係でいえば、図１２の（Ａ）に相当する状態である。
【００５０】
（Ｃ）は、突起部３２Ａが係合段部４２Ａを通過した後の状態を示し、即ち、油溜まり４０Ａが整流板３０Ａに装着された状態を示す。被支持部４４Ａは、一番奥まった位置で支持部３１Ａにより確実に支持されている。すなわち、ストッパ部が支持部３１Ａと衝突することで、油溜まり４０のスライドを正しい位置で停止して支持されている。
【００５１】
上述したレンジフード１Ａは、フード１０Ａの内部に送風機と、送風機より生ずる空気の流れの上流側にフィルタ１２Ａと、フィルタ１２Ａ及びフード１０Ａで捕獲された油分を回収収容する油溜まり４０Ａと、油溜まり４０Ａをスライド可能に支持する支持部３１Ａと、突起の前後方向に出没自在の突起部３２Ａとを備え、油溜まり４０Ａは、ガイド部４１Ａと、ガイド部４１Ａから延設して設けられた係合段部４２Ａとを有し、油溜まり４０Ａをレンジフード１Ａに着脱する際、突起部３２Ａと支持部３１Ａは油溜まり４０Ａを保持し、油溜まり４０Ａのガイド部４１Ａは突起部３２Ａと当接しながら摺動し、突起部３２Ａは、レンジフード１Ａへまたはレンジフード１Ａから油溜まり４０Ａを着脱する過程において、係合段部４２Ａを通過することを特徴とするものである。これによれば、油溜まり４０Ａの着脱時に的確な装着感を出すことで、操作性を向上すると共に、高級感を演出する、さらには、安定した装着状態とすることができるので不用意に外れてしまうことを防止して、安全性を向上させたレンジフードを提供することができる。
【００５２】
なお、本発明は、例示した実施例に限定するものではなく、特許請求の範囲の各項に記載された内容から逸脱しない範囲の構成による実施が可能である。
第一実施例及び第二実施例では突起部を弾性体により下方へ付勢する例を示したが、ガイド部と当接しながら摺動する突起部が下方へ、すなわちガイド部の方向へと付勢されていればよく、例えば、突起部を板バネの一部として一体的に形成し、板バネの復元力により付勢する方法や、突起部を弾性のある樹脂などで成形し、突起部自体の弾性変形による復元力により付勢しても良いものである。
【符号の説明】
【００５３】
１      レンジフード
１０    フード
１１    フード内面
１２    フィルタ
２０    送風機ボックス
２１    排気口
３０    整流板
３１    支持部
３２    突起部
３３    弾性体
３４    突起部ホルダー
３５    突起部ホルダーキャップ
３６    油抜き孔
３７    突起部ホルダー通孔
４０    油溜まり
４１    ガイド部
４１１  第一傾斜面
４１２  第二傾斜面
４２    係合段部
４３    油分プール
４４    被支持部
４５    ストッパ部
Ｄ    装着する時のスライド方向
【図１】
2014025628.tif 000003
【図２】
2014025628.tif 000004
【図３】
2014025628.tif 000005
【図４】
2014025628.tif 000006
【図５】
2014025628.tif 000007
【図６】
2014025628.tif 000008
【図７】
2014025628.tif 000009
【図８】
2014025628.tif 000010
【図９】
2014025628.tif 000011
【図１０】
2014025628.tif 000012
【図１１】
2014025628.tif 000013
【図１２】
2014025628.tif 000014
【図１３】
2014025628.tif 000015